(57)【要約】【課題】複数種類の光記録媒体に対応する光ピックアップ装置の調整用ディスクにおいて、受光部の位置調整の精度が、ディスクの偏芯や面ぶれの影響を受けにくい調整用ディスク、調整方法、及び製造方法。【解決手段】複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスク１であって、半径位置に応じてガラス基板と光反射膜による層構成が互いに異なる複数の光反射領域α、β、γを備え、光反射領域αは、光入射面からの距離が異なる複数の前記光反射膜６、８を有し、各光反射膜６、８が鏡面状に構成されており、光反射領域αは他の全ての光反射領域よりディスクの内周側にあるように構成される。【選択図】図１
2007164931.tif 000002
【特許請求の範囲】
【請求項１】
複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスクであって、
半径位置に応じて、基板と光反射膜による層構成が互いに異なる複数の光反射領域を備え、そのうちの少なくとも１つの光反射領域は、光入射面からの距離が異なる複数の前記光反射膜を有し、各光反射膜が鏡面状に構成されている光反射膜積層領域である光ピックアップ装置の調整用ディスクにおいて、
前記光反射膜積層領域は他の全ての光反射領域よりディスクの内周側にあり、
前記基板はガラス製であり、
前記光反射膜積層領域が有する複数の光反射膜のうち光入射面側の光反射膜の反射率が、もう一方の面側の光反射膜の反射率より低いことを特徴とする光ピックアップ装置の調整用ディスク。
【請求項２】
複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスクであって、
半径位置に応じて、基板と光反射膜による層構成が互いに異なる複数の光反射領域を備え、そのうちの少なくとも１つの光反射領域は、光入射面からの距離が異なる複数の前記光反射膜を有し、各光反射膜が鏡面状に構成されている光反射膜積層領域である光ピックアップ装置の調整用ディスクにおいて、
前記光反射膜積層領域は他の全ての光反射領域よりディスクの内周側にあることを特徴とする光ピックアップ装置の調整用ディスク。
【請求項３】
前記基板はガラス製であることを特徴とする請求項２に記載の光ピックアップ装置の調整用ディスク。
【請求項４】
前記光反射膜積層領域が有する複数の光反射膜のうち光入射面側の光反射膜の反射率が、もう一方の面側の光反射膜の反射率より低いことを特徴とする請求項２または３に記載の光ピックアップ装置の調整用ディスク。
【請求項５】
複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整方法であって、
請求項１から４のいずれか１項に記載の光ピックアップ装置の調整用ディスクを用い、
前記複数の受光部の取付位置の調整を、前記光反射膜積層領域にて行うことを特徴とする光ピックアップ装置の調整方法。
【請求項６】
複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の製造方法であって、
請求項５に記載の光ピックアップ装置の調整方法を用いることを特徴とする光ピックアップ装置の製造方法。
【発明の詳細な説明】
【技術分野】
【０００１】
本発明は、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスク、調整方法、及び製造方法に関する。
【背景技術】
【０００２】
近年、市場に多く見られるＤＶＤプレイヤーは、そのほとんどがＣＤの再生も可能である。ＣＤに用いられるレーザー光の波長は７９０ｎｍであり、ＤＶＤに用いられるレーザー光の波長は６５０ｎｍである。このように、複数種類の光記録媒体の再生が可能な光ピックアップ装置は、複数種類の波長のレーザー光を射出する光源を必要とする。
【０００３】
このような複数種類の光記録媒体に対応した、複数種類の波長のレーザー光を射出する光源を必要とする光ピックアップ装置においては、その各波長のレーザー光の光記録媒体で反射された反射光を個別に受光する複数の受光部が同様に必要となる。
【０００４】
このような光ピックアップ装置においては、各波長のレーザー光に対応した受光部ごとに、その取付位置の調整が必要となる。例えば、２種類の光記録媒体に対応した光ピックアップ装置においては、まず、一方の光記録媒体に対応した波長のレーザー光を射出し、それに対応した受光部の位置を調整する。次に、もう一方の光記録媒体に対応した波長のレーザー光を射出し、それに対応した受光部の位置を調整する。このため、受光部の取付位置を調整する工程が複雑になってしまう。
【０００５】
特許文献１に記載のものは、この受光部の取付位置の調整を容易に行うことが可能な調整用ディスクである。特許文献１に記載の調整用ディスクは、半径位置に応じて、基板と光反射膜による層構成が互いに異なる複数の光反射領域を備え、そのうちの少なくとも１つの光反射領域は、光入射面からの距離が異なる複数の光反射膜を有し、各光反射膜が鏡面状に構成されている光反射膜積層領域となっている。
【０００６】
この調整用ディスクを用いると、各波長のレーザー光に対応した複数の受光部の取付位置を調整する際に、各々の受光部の取付位置の調整ごとに調整用ディスクと光ピックアップ装置とを相対的に移動させる必要がない。そのため、調整用ディスク又は光ピックアップ装置の移動に伴って生じる振動等により、位置調整された受光部がずれてしまうおそれがない。また、各々の受光部の取付位置の調整ごとに調整用ディスクと光ピックアップ装置とを相対的に移動させる必要がないので、調整時間の短縮が可能である。また、各々の受光部の位置調整を鏡面状に形成された光反射膜を用いて行うため、信号レベルが大きくなり、位相の影響も受けないことから、調整精度も高い。
【特許文献１】特開２００４−３９１７１号公報
【発明の開示】
【発明が解決しようとする課題】
【０００７】
しかしながら、特許文献１に記載の調整用ディスクにおいては、受光部の位置調整を行うための光反射膜積層領域が、ＤＶＤ用のレーザー光のサブビームの位相差調整を行う領域より外側にある。よって、受光部の位置調整の精度が、ディスクの偏芯や面ぶれの影響を受けて低下しやすい。また、調整用ディスクの基板が樹脂で形成されているため、面ぶれや偏芯が起きやすく、調整精度の低下に繋がるという問題点がある。
【０００８】
以上の問題点を鑑みて、本発明は、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスクにおいて、受光部の位置調整の精度が、ディスクの偏芯や面ぶれの影響を受けにくい調整用ディスク、調整方法、及び製造方法を提供することを目的とする。
【課題を解決するための手段】
【０００９】
本発明においては、光ピックアップ装置の調整用ディスクは、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスクであって、半径位置に応じて、基板と光反射膜による層構成が互いに異なる複数の光反射領域を備え、そのうちの少なくとも１つの光反射領域は、光入射面からの距離が異なる複数の前記光反射膜を有し、各光反射膜が鏡面状に構成されている光反射膜積層領域である光ピックアップ装置の調整用ディスクにおいて、前記光反射膜積層領域は他の全ての光反射領域よりディスクの内周側にあること、前記基板はガラス製であること、前記光反射膜積層領域が有する複数の光反射膜のうち光入射面側の光反射膜の反射率が、もう一方の面側の光反射膜の反射率より低いことを特徴とする。
【００１０】
これによると、ディスクの偏芯や面ぶれの影響を受けにくく、受光部の取付位置を高精度に調整できる、複数種類の光記録媒体の再生が可能な光ピックアップ装置の調整用ディスクが提供される。
【００１１】
本発明においては、光ピックアップ装置の調整用ディスクは、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスクであって、半径位置に応じて、基板と光反射膜による層構成が互いに異なる複数の光反射領域を備え、そのうちの少なくとも１つの光反射領域は、光入射面からの距離が異なる複数の前記光反射膜を有し、各光反射膜が鏡面状に構成されている光反射膜積層領域である光ピックアップ装置の調整用ディスクにおいて、前記光反射膜積層領域は他の全ての光反射領域よりディスクの内周側にあることを特徴とする。
【００１２】
これによると、複数種類の光記録媒体の再生が可能な光ピックアップ装置における複数の受光部の位置調整を、調整用ディスクの最内周側の、光入射面からの距離が異なる複数の光反射膜を有する光反射膜積層領域で、複数種類の波長のレーザー光を、それに対応した光反射膜で反射させることによって行うこととなり、ディスクの偏芯や面ぶれの影響を受けにくく、受光部の取付位置を高精度に調整できる、複数種類の光記録媒体の再生が可能な光ピックアップ装置の調整用ディスクが提供される。
【００１３】
本発明においては、光ピックアップ装置の調整用ディスクは、前記基板がガラス製であることを特徴とする。
【００１４】
これによると、調整用ディスクの偏芯や面ぶれが小さくなり、よってこの調整用ディスクを用いた、複数種類の光記録媒体の再生が可能な光ピックアップ装置における複数の受光部の位置調整の調整精度が向上する。
【００１５】
本発明においては、光ピックアップ装置の調整用ディスクは、前記光反射膜積層領域が有する複数の光反射膜のうち光入射面側の光反射膜の反射率が、もう一方の面側の光反射膜の反射率より低いことを特徴とする。
【００１６】
これによると、光の入射面から遠い光反射膜で反射して光ピックアップ装置の受光部に送られる光は、光の入射面から近い光反射膜で反射して光ピックアップ装置の受光部に送られる光に比べて、基板や光反射膜を透過する分光量損失が大きいことを要因とする、受光量の減少を抑えることが可能となる。
【００１７】
本発明においては、光ピックアップ装置の調整方法は、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整方法であって、上記光ピックアップ装置の調整用ディスクを用い、
前記複数の受光部の取付位置の調整を、前記光反射膜積層領域にて行うことを特徴とする。
【００１８】
これによると、面ぶれや偏芯の影響を受けにくく、複数の受光部の取付位置を高精度に調整できる、複数種類の光記録媒体の再生が可能な光ピックアップ装置の調整方法が提供される。
【００１９】
本発明においては、光ピックアップ装置の製造方法は、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の製造方法であって、上記光ピックアップ装置の調整方法を用いることを特徴とする。
【００２０】
これによると、面ぶれや偏芯の影響を受けにくく、複数の受光部の取付位置を高精度に調整できる、複数種類の光記録媒体の再生が可能な光ピックアップ装置の製造方法が提供される。
【発明の効果】
【００２１】
本発明によると、面ぶれや偏芯の影響を受けにくく、受光部の取付位置を高精度に調整できる、複数種類の光記録媒体の再生が可能な光ピックアップ装置の調整用ディスク、調整方法及び製造方法を提供することが可能である。
【発明を実施するための最良の形態】
【００２２】
本発明の実施形態について、図面を用いて説明すれば以下の通りである。
【００２３】
図１は、本実施形態に係る光ピックアップ装置の調整用ディスクの概略の構成を示す断面図であり、符号Ｉが内周側、符号Ｏが外周側である。
【００２４】
図１に示すように、調整用ディスク１は、厚さ０．６ｍｍの円板状の２枚のガラス基板２、３が、紫外線硬化樹脂からなる厚さ１０μｍの接着層４を介して張り合わせられて形成されている。また、光入射面５は、ガラス基板２の光が入射する側の面である。
【００２５】
また、調整用ディスク１は半径位置に応じて複数の光反射領域を有する。より詳しくは、調整用ディスク１は３つの光反射領域α、β、γを有する。光反射領域αは、例えば、半径２５ｍｍから３０ｍｍまでの範囲であり、光反射領域βは、例えば、半径３０ｍｍから４５ｍｍまでの範囲であり、光反射領域γは、例えば、半径４５ｍｍから５７ｍｍまでの範囲である。
【００２６】
ここで、光反射領域βは半径３６ｍｍの位置を含むように構成する。何故なら、光反射領域βは後述するＤＶＤのサブビームの位相調整を行う位置であり、半径３６ｍｍの位置でＤＶＤのサブビームの位相調整を行えば、対物レンズが中心から０．２ｍｍずれても、調整位置との位相差が最内周（半径位置２５ｍｍ）、最外周（半径位置５７ｍｍ）で５５度前後となり、最内周、最外周での変化が最も少なくなるからである。
【００２７】
ガラス基板２の裏面（信号面：図１では上方）には、例えば膜厚１５ｎｍのアルミニウムからなる光反射膜６が光反射領域αに形成され、例えば膜厚１００ｎｍのアルミニウムからなる光反射膜７が光反射領域βに形成されている。ガラス基板２の裏面の光反射領域γには、光反射膜が形成されていない。
【００２８】
ガラス基板３の裏面（信号面：図１では上方）には、例えば膜厚１００ｎｍのアルミニウムからなる光反射膜８が光反射領域αに形成され、例えば膜厚１００ｎｍのアルミニウムからなる光反射膜９が光反射領域γに形成されている。ガラス基板３の裏面の光反射領域βには、光反射膜が形成されていない。このように、光反射領域α、β、γは、光入射面５に垂直方向に見ると、互いに異なる層構成で形成されている。光反射領域αは、２層の光反射膜６、８が形成された光反射膜積層領域になっている。この光反射領域αの光入射面５側の光反射膜６は、光反射膜８よりも反射率が低くなるように形成されている。
【００２９】
ガラス基板２の裏面の光反射領域βには、ＤＶＤ―ＲＯＭフォーマットの信号に対応するピットが形成されている。ガラス基板２裏面の光反射領域α、γには、ピットが形成されていない。つまり、光反射膜６は鏡面状に形成されている。また、ガラス基板３の裏面の光反射領域γには、ＣＤフォーマットの信号に対応するピットが形成されている。ガラス基板３裏面の光反射領域α、βには、ピットが形成されていない。つまり、光反射膜８は鏡面状に形成されている。
【００３０】
次に、本実施形態に係る光ピックアップ装置の調整用ディスク１の製造方法について説明する。まず、厚さ０．６ｍｍの円板状のガラス基板２、３を用い、ガラス基板２の裏面には、光反射領域βにＤＶＤ―ＲＯＭフォーマットの信号に対応するピットを、ガラス基板３の裏面には、光反射領域γにＣＤフォーマットの信号に対応するピットを形成する。
【００３１】
次に、ガラス基板２の裏面の光反射領域α及びβが露出するマスクを用いて、ガラス基板２の裏面上に、例えば膜厚１５ｎｍのアルミニウム膜をスパッタリング法により成膜する。そして、ガラス基板２の裏面の光反射領域βが露出するマスクを用いて、例えば膜厚８５ｎｍのアルミニウム膜をスパッタリング法により更に成膜する。これにより、膜厚１５ｎｍの光反射膜６と、膜厚１００ｎｍの光反射膜７とが形成される。
【００３２】
次に、ガラス基板３の裏面の光反射領域α及びγが露出するマスクを用いて、ガラス基板３の裏面上に、例えば膜厚１００ｎｍのアルミニウム膜をスパッタリング法により成膜する。これにより、膜厚１００ｎｍの光反射膜８と、膜厚１００ｎｍの光反射膜９とが形成される。
【００３３】
次に、ガラス基板２の裏面の全面に、例えば厚さ１０μｍの紫外線硬化型接着剤を塗布し、接着層４を形成する。次に、接着層４上に、ガラス基板３の表面（非信号面：図１では下方）を重ね合わせる。次に、紫外線を照射して接着層４を硬化させ、ガラス基板２、３を貼り合わせる。以上の手順を経て、光ピックアップ装置の調整用ディスク１が完成する。
【００３４】
次に、本実施形態に係る光ピックアップ装置の調整用ディスク１を用いた光ピックアップ装置の調整方法及び製造方法について説明する。そのために、まず、本実施形態に係る光ピックアップ装置の構成について説明する。図２は、本実施形態に係る光ピックアップ装置の概略の構成を示す説明図である。本実施形態に係る光ピックアップ装置２０は、２種類の波長のレーザー光を射出する光源２１（図２では２波長半導体レーザーとして扱っているが、２種類の波長のレーザー光を射出できる光源であればどのようなものでも構わない）と、２波長回折格子２２と、ビームスプリッタ２３と、コリメータレンズ２４と、対物レンズ２５と、光検出器２６とを有している。また、光記録媒体は、ＣＤ３０ａあるいはＤＶＤ３０ｂである。
【００３５】
ここで、２種類の波長のレーザー光を射出する光源２１は、ＣＤ用の波長７９０ｎｍのレーザー光と、ＤＶＤ用の波長６５０ｎｍのレーザー光とを出力する。２波長回折格子２２は、光源２１から射出されたレーザー光が透過する際、このレーザー光をメインビーム（０次光）、サブビーム（＋１次光、―１次光）に分離させる。ビームスプリッタ２３は、光源２１からの光を光記録媒体の方向へ反射させ、光記録媒体からの反射光を光検出器２６へ透過させる。
【００３６】
コリメータレンズ２４は、ビームスプリッタ２３からの光を、平行にして対物レンズ２５に導く。対物レンズ２５は、２重焦点回折対物レンズであり、ＣＤ、ＤＶＤ両者に対応して、コリメータレンズ２４からの光を光記録媒体の情報記録面に集光する。光検出器２６は、光記録媒体からの反射光を受光する部分であり、ＣＤ及びＤＶＤに対応する受光部２６ａ及び２６ｂを備えている。
【００３７】
図３は、光検出器２６の受光部の受光素子パターン構成を示す説明図である。ＣＤ用受光部２６ａは、メインビーム受光素子パターン部２６ａ１と、第１のサブビーム受光素子パターン部２６ａ２と、第２のサブビーム受光素子パターン部２６ａ３とを有している。メインビーム受光素子パターン部２６ａ１は、図のように４分割された４個のメインビーム受光素子パターンＡ、Ｂ、Ｃ、Ｄを有している。
【００３８】
ＤＶＤ用受光部２６ｂは、メインビーム受光素子パターン部２６ｂ１と、第１のサブビーム受光素子パターン部２６ｂ２と、第２のサブビーム受光素子パターン部２６ｂ３とを備える。メインビーム受光素子パターン部２６ｂ１は、図のように４分割された４個のメインビーム受光素子パターンａ、ｂ、ｃ、ｄを有している。
【００３９】
ＤＶＤ用受光部２６ｂの第１のサブビーム受光素子パターン部２６ｂ２は、図のように２分割された２個のサブビーム受光素子パターンｅ、ｆを有している。ＤＶＤ用受光部２６ｂの第２のサブビーム受光素子パターン部２６ｂ３は、図のように２分割された２個のサブビーム受光素子パターンｇ、ｈを有している。
【００４０】
ここで、ＤＶＤ―ＲＯＭの再生時には、ＤＶＤ用受光部２６ｂのメインビーム受光素子パターンａ、ｂ、ｃ、ｄのみを用い、フォーカスエラー検出は非点収差法、トラッキングエラー検出は位相差法を用いる。また、ＤＶＤ―ＲＡＭの再生時には、ＤＶＤ用受光部２６ｂの全ての受光素子パターンを使用し、フォーカスエラー検出は差動非点収差法、トラッキングエラー検出は差動プッシュプル法を用いる。また、ＣＤ―ＲＯＭ及びＣＤ―ＲＷの再生時には、ＣＤ用受光部２６ａの全ての受光素子パターンを使用し、フォーカスエラー検出は非点収差法、トラッキングエラー検出は３ビーム法を用いる。
【００４１】
次に、図４及び図５を用いて光ピックアップ装置２０の調整方法を説明する。ここで、図４は光ピックアップ装置２０の調整方法を示すフローチャートであり、ｘ、ｙ方向は、左右方向（ｘ方向）及び上下方向（ｙ方向）である。図５は、光入射面側から見た、光検出器２６の取付位置の調整方法を示す説明図である。光ピックアップ装置２０の調整は、調整用ディスク１（図１参照）を用いて行う。調整用ディスク１は、ＤＶＤ用のレーザー光を光反射領域α、βで反射させてＤＶＤ用の反射光を発生させ、ＣＤ用のレーザー光を光反射領域α、γで反射させてＣＤ用の反射光を発生させる。
【００４２】
光ピックアップ装置２０の調整は、調整用ディスク１の光反射領域αを用いた調整から始まる（図４のＳ1に対応）。まず、ＤＶＤ用受光部２６ｂの位置調整を行う（Ｓ2）。具体的には、ＤＶＤ用のレーザー光を光反射領域αの光反射膜６で反射させてＤＶＤ用の反射光を発生させ、４つのメインビーム受光素子パターンａ、ｂ、ｃ、ｄの信号出力を用いて、ＤＶＤ用の反射光の光ビームスポットとメインビーム受光素子パターン部２６ｂ１の中心位置とのずれを求める。そして、そのずれを補正するように図５のｘ、ｙ方向に光検出器２６の取付位置を調整し、ＤＶＤ用の反射光の光ビームスポットがメインビーム受光素子パターン部２６ｂ１の略中心位置にくるようにする。
【００４３】
次に、ＣＤ用受光部２６ａの位置調整を行う（Ｓ3）。具体的には、ＣＤ用のレーザー光を光反射領域αの光反射膜８で反射させてＣＤ用の反射光を発生させ、４つのメインビーム受光素子パターンＡ、Ｂ、Ｃ、Ｄの信号出力を用いて、ＣＤ用の反射光の光ビームスポットとメインビーム受光素子パターン部２６ａ１の中心位置とのずれを求める。そして、そのずれを補正するように、図５の光検出器２６の取付角度をθずらして調整し、ＣＤ用の反射光の光ビームスポットがメインビーム受光素子パターン部２６ａ１の略中心位置にくるようにする。
【００４４】
次に、再びＤＶＤ用受光部２６ｂの位置調整を行う（Ｓ4）。具体的方法は、上記Ｓ2と同様である。
【００４５】
次に、ＣＤ用受光部２６ｂの位置について確認を行う（Ｓ5）。具体的には、ＣＤ用のレーザー光を光反射領域αの光反射膜８で反射させてＣＤ用の反射光を発生させ、４つのメインビーム受光素子パターンＡ、Ｂ、Ｃ、Ｄの信号出力を用いて、ＣＤ用の反射光の光ビームスポットがメインビーム受光素子パターン部２６ａ１の略中心位置にきているか確かめる。きていれば次のステップに進み、きていなければもう一度光検出器２６の取付位置の調整を行う。
【００４６】
次に、調整用ディスク１の光反射領域γを用いた調整を行う（Ｓ6）。まず、光反射領域γの光反射膜９にＣＤ用のレーザー光を照射し、フォーカスサーボをかける。この状態で、最適なトラッキング誤差検出出力が得られるように、２波長回折格子２２を回転させてサブビームの位相調整を行う（Ｓ7）。
【００４７】
次に、調整用ディスク１の光反射領域βを用いる調整を行う（Ｓ8）。まず、光反射領域βの光反射膜７にＤＶＤ用のレーザー光を照射し、フォーカスサーボをかける。この状態で、最適なトラッキング誤差検出出力が得られるように、２波長回折格子２２を回転させてサブビームの位相調整を行う（Ｓ9）。
【００４８】
次に、トラッキングサーボをかける。この状態で最適な再生信号が得られるように、対物レンズ２５の傾角及びフォーカス調整を行う（Ｓ10）。以上のような本実施形態に係る光ピックアップ装置の調整方法を用いて、光ピックアップ装置が製造される。
【００４９】
本実施形態においては、受光部２６の取付位置調整において、ＣＤ用受光部２６ａの位置調整、ＤＶＤ用受光部２６ｂの位置調整ともに、調整用ディスク１の光反射領域αを用いて行っており、この両者の調整の間に調整用ディスク１と光ピックアップ装置２０を相対的に移動させる必要がない。よって振動等により位置調整された光検出器２６がずれてしまうおそれが無く、また、移動の時間がかからないため、素早く調整ができる。また、光反射領域αは調整用ディスク１の最内周領域であること、基板２、３がガラス製であることより、偏芯や面ぶれの影響を受けにくく、高精度な調整が可能である。また、光検出器２６の位置調整に用いる調整用ディスク１の光反射領域αでは、光反射膜６、８が鏡面状に形成されている。従って、信号レベルが大きくなり、位相の影響も受けないことから、光検出器２６の位置調整を素早く高精度で行うことができる。
【００５０】
なお、本発明は上記の実施の形態に限定されず、本発明の趣旨を逸脱しない範囲で、種々の変更が可能である。例えば、上記の実施形態においては、ＣＤとＤＶＤの２種類の光記録媒体に対応した光ピックアップ装置を考えたが、ＣＤ、ＤＶＤ、青色レーザーによって記録再生を行う次世代の光記録媒体の３種類の光記録媒体に対応した光ピックアップ装置等も同様に構成できる。
【産業上の利用可能性】
【００５１】
本発明は、複数種類の光記録媒体に対応して、複数種類の波長のレーザー光を射出する光源と、前記光源から射出された各波長のレーザー光の光記録媒体で反射された反射光を個別に受光する複数の受光部とを有する光ピックアップ装置の調整用ディスク、調整方法、及び製造方法として有効である。
【図面の簡単な説明】
【００５２】
【図１】本実施形態に係る光ピックアップ装置の調整用ディスクの概略の構成を示す断面図である。
【図２】本実施形態に係る光ピックアップ装置の概略の構成を示す説明図である。
【図３】光検出器の受光部の受光素子パターン構成を示す説明図である。
【図４】光ピックアップ装置の調整方法を示すフローチャートである。
【図５】光検出器の取付位置の調整方法を示す説明図である。
【符号の説明】
【００５３】
１    調整用ディスク
２、３    ガラス基板
４    接着層
５    光入射面
６、７、８、９    光反射膜
２０    光ピックアップ装置
２１    光源
２２    ２波長回折格子
２３    ビームスプリッタ
２４    コリメータレンズ
２５    対物レンズ
２６    光検出器
２６ａ    ＣＤ用受光部
２６ｂ    ＤＶＤ用受光部
２６ａ１    メインビーム受光素子パターン部（ＣＤ用）
２６ａ２、２６ａ３    サブビーム受光素子パターン部（ＣＤ用）
２６ｂ１    メインビーム受光素子パターン部（ＤＶＤ用）
２６ｂ２、２６ｂ３    サブビーム受光素子パターン部（ＤＶＤ用）
３０ａ    ＣＤ
３０ｂ    ＤＶＤ
α    光反射膜積層領域
【図１】
2007164931.tif 000003
【図２】
2007164931.tif 000004
【図３】
2007164931.tif 000005
【図４】
2007164931.tif 000006
【図５】
2007164931.tif 000007